(57)【要約】      （修正有）【課題】キャリアアグリゲーション技術を採用する場合で、接続モードにあるユーザに対して、キャリア設定を行う方法および装置を提供する。【解決手段】方法は、基地局が、設定されるキャリアに対応するセル識別子（ＩＤ）およびキャリア周波数が付けられたキャリア設定シグナリングをユーザ端末に送信し、ユーザ端末が、キャリア設定シグナリングに付けられた、設定されるキャリアに対応するセルＩＤおよびキャリア周波数によって、設定されるキャリアの情報を取得して、キャリア設定を行う、ことを含む。また、上記のキャリア設定方法を実現する基地局およびユーザ端末も開示している。キャリア設定方法および装置は、ＲＲＣ接続再設定シグナリングに含まれるキャリア設定シグナリングを設計することにより、キャリア設定の機能を実現する。【選択図】図１
2011193440.tif 000002
【特許請求の範囲】
【請求項１】
キャリア設定方法であって、
基地局は、設定されるキャリアに対応するセル識別子（ＩＤ）およびキャリア周波数が付けられたキャリア設定シグナリングを、ユーザ端末に送信し、
ユーザ端末は、キャリア設定シグナリングに付けられた、設定されるキャリアに対応するセルＩＤおよびキャリア周波数によって、設定されるキャリアの情報を取得して、キャリア設定を行う、
ことを含むことを特徴とする方法。
【請求項２】
前記キャリア設定シグナリングは、無線リソース制御（ＲＲＣ）接続再設定シグナリングに含まれる、
ことを特徴とする請求項１に記載の方法。
【請求項３】
前記キャリア設定シグナリングは、モビリティ管理制御シグナリングである、
ことを特徴とする請求項２に記載の方法。
【請求項４】
前記基地局がキャリア設定シグナリングをユーザ端末に送信することは、
キャリア設定を行う場合、モビリティ管理制御シグナリングにおけるターゲットセルＩＤフィールドを利用して、設定されるキャリアに対応するセルＩＤを搭載し、モビリティ管理制御シグナリングにおけるキャリア周波数フィールドを利用して、設定されるキャリアのキャリア周波数を搭載する一方、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載する、ことを含み、
前記ユーザ端末が、キャリア設定シグナリングに付けられた、設定されるキャリアに対応するセルＩＤおよびキャリア周波数によって、設定されるキャリアの情報を取得することは、
ユーザ端末が、受信されたモビリティ管理制御シグナリングに付けられたターゲットセルＩＤが現在のサービングセルＩＤと一致するかどうかを判断し、一致する場合、受信されたモビリティ管理制御シグナリングがキャリア設定用であると判断して、モビリティ管理制御シグナリングに付けられたターゲットセルＩＤおよびキャリア周波数によって、設定されるキャリアの情報を取得し、一致しない場合、受信されたモビリティ管理制御シグナリングがユーザ端末ハンドオーバー指示用であると判断して、モビリティ管理制御シグナリングに付けられたターゲットセルＩＤおよびキャリア周波数によって、ハンドオーバーを行う、ことを含む、
ことを特徴とする請求項３に記載の方法。
【請求項５】
前記基地局がキャリア設定シグナリングをユーザ端末に送信することは、
モビリティ管理制御シグナリングがキャリア設定用であるか、それともユーザ端末ハンドオーバー指示用であるかを識別するためのキャリア設定識別子フィールドをモビリティ管理制御シグナリングに追加し、キャリア設定を行う場合、モビリティ管理制御シグナリングにおけるキャリア設定識別子フィールドに、キャリア設定用を表す識別子を設定し、モビリティ管理制御シグナリングにおけるターゲットセルＩＤフィールドを利用して、設定されるキャリアに対応するセルＩＤを搭載し、モビリティ管理制御シグナリングにおけるキャリア周波数フィールドを利用して、設定されるキャリアのキャリア周波数を搭載する一方、ユーザ端末に対しハンドオーバーするよう指示する場合、ビリティ管理制御シグナリングにおけるキャリア設定識別子フィールドに、ハンドオーバー指示用を表す識別子を設定し、モビリティ管理制御シグナリングにおけるターゲットセルＩＤフィールドおよびキャリア周波数フィールドを利用して、ハンドオーバー先であるターゲットセルＩＤおよびキャリア周波数を搭載する、ことを含み、
前記ユーザ端末が、キャリア設定シグナリングに付けられた、設定されるキャリアに対応するセルＩＤおよびキャリア周波数によって、設定されるキャリアの情報を取得することは、
ユーザ端末が、受信されたモビリティ管理制御シグナリングに付けられたキャリア設定識別子が、キャリア設定用を表す識別子であるかどうかを判断し、キャリア設定用を表す識別子である場合、受信されたモビリティ管理制御シグナリングがキャリア設定用であると判断して、モビリティ管理制御シグナリングに付けられたターゲットセルＩＤおよびキャリア周波数によって、設定されるキャリアの情報を取得し、キャリア設定用を表す識別子ではない場合、受信されたモビリティ管理制御シグナリングがユーザ端末ハンドオーバー指示用であると判断して、モビリティ管理制御シグナリングに付けられたターゲットセルＩＤおよびキャリア周波数によって、ハンドオーバーを行う、ことを含む、
ことを特徴とする請求項３に記載の方法。
【請求項６】
ターゲットセルを除くほかのキャリアに対応するセルＩＤおよびキャリア周波数を示すためのキャリア設定パラメータフィールドをモビリティ管理制御シグナリングに追加し、ユーザ端末は、モビリティ管理制御シグナリングを受信した後、キャリア設定パラメータフィールドに付けられたセルＩＤおよびキャリア周波数によって、設定されるほかのキャリアの情報を取得する、
ことをさらに含むことを特徴とする請求項４または５に記載の方法。
【請求項７】
前記モビリティ管理制御シグナリングにおけるターゲットセルＩＤフィールドには、設定されるキャリアに対応する少なくとも１つのセルＩＤが搭載され、モビリティ管理制御シグナリングにおけるキャリア周波数フィールドには、設定される少なくとも１つのキャリアのキャリア周波数が搭載される、
ことを特徴とする請求項４または５に記載の方法。
【請求項８】
前記キャリア設定シグナリングは、新たに定義されたキャリア設定用の専用シグナリングである、
ことを特徴とする請求項２に記載の方法。
【請求項９】
前記セルＩＤは、セルの物理セル識別子（ＰＣＩ）あるいはグローバルセル識別子（ＧＣＩまたはＥ−ＣＧＩ）である、
ことを特徴とする請求項１に記載の方法。
【請求項１０】
基地局であって、
設定されるキャリアに対応するセル識別子（ＩＤ）およびキャリア周波数が付けられたキャリア設定シグナリングを生成するキャリア設定シグナリング生成手段と、
生成されたキャリア設定シグナリングをユーザ端末に送信するキャリア設定シグナリング送信手段と、
を含むことを特徴とする基地局。
【請求項１１】
前記キャリア設定シグナリングは、モビリティ管理制御シグナリングである、
ことを特徴とする請求項１０に記載の基地局。
【請求項１２】
前記キャリア設定シグナリング生成手段は、
キャリア設定を行う場合、モビリティ管理制御シグナリングにおけるターゲットセルＩＤフィールドおよびキャリア周波数フィールドを利用して、設定されるキャリアに対応するセルＩＤおよびキャリア周波数を搭載し、あるいは、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載するキャリア設定シグナリング生成モジュールを含む、
ことを特徴とする請求項１１に記載の基地局。
【請求項１３】
前記キャリア設定シグナリング生成手段は、
モビリティ管理制御シグナリングがキャリア設定用であるか、それともユーザ端末ハンドオーバー指示用であるかを識別するためのキャリア設定識別子を、モビリティ管理制御シグナリングに付加するキャリア設定識別子付加モジュールと、
キャリア設定を行う場合、モビリティ管理制御シグナリングにおけるターゲットセルＩＤフィールドおよびキャリア周波数フィールドを利用して、設定されるキャリアに対応するセルＩＤおよびキャリア周波数を搭載し、あるいは、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載するキャリア設定シグナリング生成モジュールと、
を含むことを特徴とする請求項１１に記載の基地局。
【請求項１４】
前記キャリア設定シグナリング生成手段は、
ターゲットセルを除くほかのキャリアに対応するセルＩＤおよびキャリア周波数を示すためのキャリア設定パラメータを、モビリティ管理制御シグナリングに付加するキャリア設定パラメータ付加モジュールと、キャリア設定を行う場合、モビリティ管理制御シグナリングにおけるターゲットセルＩＤフィールドおよびキャリア周波数フィールドを利用して、設定されるキャリアに対応するセルＩＤおよびキャリア周波数を搭載し、キャリア設定パラメータを利用して、設定されるほかのキャリアに対応するセルＩＤおよびキャリア周波数を搭載し、あるいは、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載し、キャリア設定パラメータを利用して、設定されるほかのキャリアに対応するセルＩＤおよびキャリア周波数を搭載するキャリア設定シグナリング生成モジュールと、
を含むことを特徴とする請求項１１に記載の基地局。
【請求項１５】
ユーザ端末であって、
基地局から送信されたキャリア設定シグナリングを受信するキャリア設定シグナリング受信手段と、
キャリア設定シグナリングに付けられた、設定されるキャリアに対応するセル識別子（ＩＤ）およびキャリア周波数によって、設定されるキャリアの情報を取得して、キャリア設定を行うキャリア設定手段と、
を含むことを特徴とするユーザ端末。
【請求項１６】
前記キャリア設定シグナリングは、モビリティ管理制御シグナリングである、
ことを特徴とする請求項１５に記載のユーザ端末。
【請求項１７】
前記キャリア設定手段は、
受信されたモビリティ管理制御シグナリングに付けられたターゲットセルＩＤが、現在のサービングセルＩＤと一致するかどうかを判断し、一致する場合、受信されたモビリティ管理制御シグナリングがキャリア設定用であると判断し、一致しない場合、受信されたモビリティ管理制御シグナリングがユーザ端末ハンドオーバー指示用であると判断する判断モジュールと、
受信されたモビリティ管理制御シグナリングがキャリア設定用である場合、モビリティ管理制御シグナリングに付けられたターゲットセルＩＤおよびキャリア周波数によって、設定されるキャリアの情報を取得して、キャリア設定を行うキャリア設定モジュールと、
受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行うハンドオーバーモジュールと、
を含むことを特徴とする請求項１６に記載のユーザ端末。
【請求項１８】
前記キャリア設定手段は、
キャリア設定識別子によって、受信されたモビリティ管理制御シグナリングがキャリア設定用であるか、それともユーザ端末ハンドオーバー指示用であるかを判断する判断モジュールと、
受信されたモビリティ管理制御シグナリングがキャリア設定用である場合、モビリティ管理制御シグナリングに付けられたターゲットセルＩＤおよびキャリア周波数によって、設定されるキャリアの情報を取得して、キャリア設定を行うキャリア設定モジュールと、
受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行うハンドオーバーモジュールと、
を含むことを特徴とする請求項１６に記載のユーザ端末。
【請求項１９】
前記キャリア設定手段は、
受信されたモビリティ管理制御シグナリングに付けられたターゲットセルＩＤが、現在のサービングセルＩＤと一致するかどうかを判断し、一致する場合、受信されたモビリティ管理制御シグナリングがキャリア設定用であると判断し、一致しない場合、受信されたモビリティ管理制御シグナリングがユーザ端末ハンドオーバー指示用であると判断する判断モジュールと、
受信されたモビリティ管理制御シグナリングがキャリア設定用である場合、モビリティ管理制御シグナリングに付けられたターゲットセルＩＤおよびキャリア周波数、並びにキャリア設定パラメータによって、設定されるキャリアの情報を取得して、キャリア設定を行うキャリア設定モジュールと、
受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行い、モビリティ管理制御シグナリングに付けられたキャリア設定パラメータによって、設定されるキャリアの情報を取得して、キャリア設定を行うハンドオーバーモジュールと、
を含むことを特徴とする請求項１６に記載のユーザ端末。
【請求項２０】
前記キャリア設定手段は、
キャリア設定識別子によって、受信されたモビリティ管理制御シグナリングがキャリア設定用であるか、それともユーザ端末ハンドオーバー指示用であるかを判断する判断モジュールと、
受信されたモビリティ管理制御シグナリングがキャリア設定用である場合、モビリティ管理制御シグナリングに付けられたターゲットセルＩＤおよびキャリア周波数、並びにキャリア設定パラメータによって、設定されるキャリアの情報を取得して、キャリア設定を行うキャリア設定モジュールと、
受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行い、モビリティ管理制御シグナリングに付けられたキャリア設定パラメータによって、設定されるキャリアの情報を取得して、キャリア設定を行うハンドオーバーモジュールと、
を含むことを特徴とする請求項１６に記載のユーザ端末。
【発明の詳細な説明】
【技術分野】
【０００１】
本発明は、移動通信技術に関し、特に、キャリア設定方法および装置に関する。
【背景技術】
【０００２】
ＩＭＴ−Ａ（Ｉｎｔｅｒｎａｔｉｏｎａｌ  Ｍｏｂｉｌｅ  Ｔｅｌｅｃｏｍｍｕｎｉｃａｔｉｏｎｓ  −  Ａｄｖａｎｃｅｄ）が、第４世代（４Ｇ）無線通信の定義として公認されている。ＩＭＴ−Ａを実現するために、第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）では、特に、改善された長期的進化（ＬＴＥ−Ａ：Ｌｏｎｇ  Ｔｅｒｍ  Ｅｖｏｌｕｔｉｏｎ−Ａｄｖａｎｃｅｓ）システムが定義されている。ＬＴＥ−Ａでは、高いスペクトル効率、高いピーク速度、高いセル端性能、低い遅延時間、およびよりよいサービス品質（ＱｏＳ：Ｑｕａｌｉｔｙ  ｏｆ  Ｓｅｒｖｉｃｅ）保証などが要求される。
【発明の概要】
【発明が解決しようとする課題】
【０００３】
ＬＴＥ−Ａの高要求を満足するために、キャリアアグリゲーションがキー技術として導入されている。キャリアアグリゲーションとは、ＬＴＥ−Ａにおける帯域幅を２０ＭＨｚから４０ＭＨｚまで、ひいては１００Ｍｈｚまで増加させることを指す。ここで、１つの２０ＭＨｚは、１つの基本的なキャリア要素である。このように、４０ＭＨｚおよび１００ＭＨｚは、それぞれ２つのキャリア要素および５つのキャリア要素のアグリゲーションである。こうすれば、１つの基地局（ｅＮＢ：Ｅｖｏｌｖｅｄ  ＮｏｄｅＢ）は、複数のキャリア（ＣＣ：Ｃｏｍｐｏｎｅｎｔ  Ｃａｒｒｉｅｒ）を同時に使用することができる。しかしながら、ＬＴＥ−Ａでは、キャリアアグリゲーション技術を採用する場合で、接続モードにあるユーザに対して、キャリア設定を如何に行うかが提供されていない。
【課題を解決するための手段】
【０００４】
上記の技術的課題を解決するために、本発明では、接続モードにあるユーザに対して、キャリア設定を行うキャリア設定方法および装置が提供されている。
【０００５】
本発明の実施例に係るキャリア設定方法において、基地局は、設定されるキャリアに対応するセル識別子（ＩＤ）およびキャリア周波数が付けられたキャリア設定シグナリングを、ユーザ端末に送信し、ユーザ端末は、キャリア設定シグナリングに付けられた、設定されるキャリアに対応するセルＩＤおよびキャリア周波数によって、設定されるキャリアの情報を取得して、キャリア設定を行う、を含む。
【０００６】
上記キャリア設定シグナリングは、無線リソース制御（ＲＲＣ）接続再設定シグナリングに含まれる。
【０００７】
好ましくは、上記キャリア設定シグナリングが、モビリティ管理制御シグナリングである。
【０００８】
このとき、基地局がキャリア設定シグナリングをユーザ端末に送信することは、キャリア設定を行う場合、モビリティ管理制御シグナリングにおけるターゲットセルＩＤフィールドを利用して、設定されるキャリアに対応するセルＩＤを搭載し、モビリティ管理制御シグナリングにおけるキャリア周波数フィールドを利用して、設定されるキャリアのキャリア周波数を搭載する一方、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載する、ことを含み、ユーザ端末が、キャリア設定シグナリングに付けられた、設定されるキャリアに対応するセルＩＤおよびキャリア周波数によって、設定されるキャリアの情報を取得することは、ユーザ端末が、受信されたモビリティ管理制御シグナリングに付けられたターゲットセルＩＤが現在のサービングセルＩＤと一致するかどうかを判断し、一致する場合、受信されたモビリティ管理制御シグナリングがキャリア設定用であると判断して、モビリティ管理制御シグナリングに付けられたターゲットセルＩＤおよびキャリア周波数によって、設定されるキャリアの情報を取得し、一致しない場合、受信されたモビリティ管理制御シグナリングがユーザ端末ハンドオーバー指示用であると判断して、モビリティ管理制御シグナリングに付けられたターゲットセルＩＤおよびキャリア周波数によって、ハンドオーバーを行う、ことを含む。
【０００９】
あるいは、基地局がキャリア設定シグナリングをユーザ端末に送信することは、モビリティ管理制御シグナリングがキャリア設定用であるか、それともユーザ端末ハンドオーバー指示用であるかを識別するためのキャリア設定識別子フィールドをモビリティ管理制御シグナリングに追加し、キャリア設定を行う場合、モビリティ管理制御シグナリングにおけるキャリア設定識別子フィールドに、キャリア設定用を表す識別子を設定し、モビリティ管理制御シグナリングにおけるターゲットセルＩＤフィールドを利用して、設定されるキャリアに対応するセルＩＤを搭載し、モビリティ管理制御シグナリングにおけるキャリア周波数フィールドを利用して、設定されるキャリアのキャリア周波数を搭載する一方、ユーザ端末に対しハンドオーバーするよう指示する場合、ビリティ管理制御シグナリングにおけるキャリア設定識別子フィールドに、ハンドオーバー指示用を表す識別子を設定し、モビリティ管理制御シグナリングにおけるターゲットセルＩＤフィールドおよびキャリア周波数フィールドを利用して、ハンドオーバー先であるターゲットセルＩＤおよびキャリア周波数を搭載する、ことを含み、ユーザ端末が、キャリア設定シグナリングに付けられた、設定されるキャリアに対応するセルＩＤおよびキャリア周波数によって、設定されるキャリアの情報を取得することは、ユーザ端末が、受信されたモビリティ管理制御シグナリングに付けられたキャリア設定識別子が、キャリア設定用を表す識別子であるかどうかを判断し、キャリア設定用を表す識別子である場合、受信されたモビリティ管理制御シグナリングがキャリア設定用であると判断して、モビリティ管理制御シグナリングに付けられたターゲットセルＩＤおよびキャリア周波数によって、設定されるキャリアの情報を取得し、キャリア設定用を表す識別子ではない場合、受信されたモビリティ管理制御シグナリングがユーザ端末ハンドオーバー指示用であると判断して、モビリティ管理制御シグナリングに付けられたターゲットセルＩＤおよびキャリア周波数によって、ハンドオーバーを行う、ことを含む。
【００１０】
上記の方法は、ターゲットセルを除くほかのキャリアに対応するセルＩＤおよびキャリア周波数を示すためのキャリア設定パラメータフィールドをモビリティ管理制御シグナリングに追加し、ユーザ端末は、モビリティ管理制御シグナリングを受信した後、キャリア設定パラメータフィールドに付けられたセルＩＤおよびキャリア周波数によって、設定されるほかのキャリアの情報を取得する、ことをさらに含んでもよい。
【００１１】
ここで、前記モビリティ管理制御シグナリングにおけるターゲットセルＩＤフィールドには、設定されるキャリアに対応する少なくとも１つのセルＩＤが搭載され、モビリティ管理制御シグナリングにおけるキャリア周波数フィールドには、設定される少なくとも１つのキャリアのキャリア周波数が搭載される。
【００１２】
好ましくは、上記キャリア設定シグナリングが、新たに定義されたキャリア設定用の専用シグナリングである。
【００１３】
上記セルＩＤは、セルの物理セル識別子（ＰＣＩ）あるいはグローバルセル識別子（ＧＣＩまたはＥ−ＣＧＩ）である。
【００１４】
また、本発明の実施例は、基地局を開示している。該基地局は、設定されるキャリアに対応するセル識別子（ＩＤ）およびキャリア周波数が付けられたキャリア設定シグナリングを生成するキャリア設定シグナリング生成手段と、生成されたキャリア設定シグナリングをユーザ端末に送信するキャリア設定シグナリング送信手段と、を含む。
【００１５】
好ましくは、キャリア設定シグナリングは、モビリティ管理制御シグナリングである。
【００１６】
キャリア設定シグナリング生成手段は、キャリア設定を行う場合、モビリティ管理制御シグナリングにおけるターゲットセルＩＤフィールドおよびキャリア周波数フィールドを利用して、設定されるキャリアに対応するセルＩＤおよびキャリア周波数を搭載し、あるいは、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載するキャリア設定シグナリング生成モジュールを含む。
【００１７】
あるいは、キャリア設定シグナリング生成手段は、モビリティ管理制御シグナリングがキャリア設定用であるか、それともユーザ端末ハンドオーバー指示用であるかを識別するためのキャリア設定識別子を、モビリティ管理制御シグナリングに付加するキャリア設定識別子付加モジュールと、キャリア設定を行う場合、モビリティ管理制御シグナリングにおけるターゲットセルＩＤフィールドおよびキャリア周波数フィールドを利用して、設定されるキャリアに対応するセルＩＤおよびキャリア周波数を搭載し、あるいは、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載するキャリア設定シグナリング生成モジュールと、を含む。
【００１８】
あるいは、キャリア設定シグナリング生成手段は、ターゲットセルを除くほかのキャリアに対応するセルＩＤおよびキャリア周波数を示すためのキャリア設定パラメータを、モビリティ管理制御シグナリングに付加するキャリア設定パラメータ付加モジュールと、キャリア設定を行う場合、モビリティ管理制御シグナリングにおけるターゲットセルＩＤフィールドおよびキャリア周波数フィールドを利用して、設定されるキャリアに対応するセルＩＤおよびキャリア周波数を搭載し、キャリア設定パラメータを利用して、設定されるほかのキャリアに対応するセルＩＤおよびキャリア周波数を搭載し、あるいは、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載し、キャリア設定パラメータを利用して、設定されるほかのキャリアに対応するセルＩＤおよびキャリア周波数を搭載するキャリア設定シグナリング生成モジュールと、を含む。
【００１９】
また、本発明の実施例は、ユーザ端末を開示している。該ユーザ端末は、基地局から送信されたキャリア設定シグナリングを受信するキャリア設定シグナリング受信手段と、キャリア設定シグナリングに付けられた、設定されるキャリアに対応するセル識別子（ＩＤ）およびキャリア周波数によって、設定されるキャリアの情報を取得して、キャリア設定を行うキャリア設定手段と、を含む。
【００２０】
好ましくは、キャリア設定シグナリングが、モビリティ管理制御シグナリングである。
【００２１】
キャリア設定手段は、受信されたモビリティ管理制御シグナリングに付けられたターゲットセルＩＤが、現在のサービングセルＩＤと一致するかどうかを判断し、一致する場合、受信されたモビリティ管理制御シグナリングがキャリア設定用であると判断し、一致しない場合、受信されたモビリティ管理制御シグナリングがユーザ端末ハンドオーバー指示用であると判断する判断モジュールと、受信されたモビリティ管理制御シグナリングがキャリア設定用である場合、モビリティ管理制御シグナリングに付けられたターゲットセルＩＤおよびキャリア周波数によって、設定されるキャリアの情報を取得して、キャリア設定を行うキャリア設定モジュールと、受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行うハンドオーバーモジュールと、を含む。
【００２２】
あるいは、キャリア設定手段は、キャリア設定識別子によって、受信されたモビリティ管理制御シグナリングがキャリア設定用であるか、それともユーザ端末ハンドオーバー指示用であるかを判断する判断モジュールと、受信されたモビリティ管理制御シグナリングがキャリア設定用である場合、モビリティ管理制御シグナリングに付けられたターゲットセルＩＤおよびキャリア周波数によって、設定されるキャリアの情報を取得して、キャリア設定を行うキャリア設定モジュールと、受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行うハンドオーバーモジュールと、を含む。
【００２３】
あるいは、キャリア設定手段は、受信されたモビリティ管理制御シグナリングに付けられたターゲットセルＩＤが、現在のサービングセルＩＤと一致するかどうかを判断し、一致する場合、受信されたモビリティ管理制御シグナリングがキャリア設定用であると判断し、一致しない場合、受信されたモビリティ管理制御シグナリングがユーザ端末ハンドオーバー指示用であると判断する判断モジュールと、受信されたモビリティ管理制御シグナリングがキャリア設定用である場合、モビリティ管理制御シグナリングに付けられたターゲットセルＩＤおよびキャリア周波数、並びにキャリア設定パラメータによって、設定されるキャリアの情報を取得して、キャリア設定を行うキャリア設定モジュールと、受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行い、モビリティ管理制御シグナリングに付けられたキャリア設定パラメータによって、設定されるキャリアの情報を取得して、キャリア設定を行うハンドオーバーモジュールと、を含む。
【００２４】
あるいは、キャリア設定手段は、キャリア設定識別子によって、受信されたモビリティ管理制御シグナリングがキャリア設定用であるか、それともユーザ端末ハンドオーバー指示用であるかを判断する判断モジュールと、受信されたモビリティ管理制御シグナリングがキャリア設定用である場合、モビリティ管理制御シグナリングに付けられたターゲットセルＩＤおよびキャリア周波数、並びにキャリア設定パラメータによって、設定されるキャリアの情報を取得して、キャリア設定を行うキャリア設定モジュールと、受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行い、モビリティ管理制御シグナリングに付けられたキャリア設定パラメータによって、設定されるキャリアの情報を取得して、キャリア設定を行うハンドオーバーモジュールと、を含む。
【発明の効果】
【００２５】
本発明に係るキャリア設定方法および装置は、ＲＲＣ接続再設定シグナリングに含まれるキャリア設定シグナリングを設計することにより、キャリアアグリゲーション技術を採用するＬＴＥ−Ａシステムにおける、接続状態にあるユーザ端末に対して、キャリア設定を行い、キャリア設定の機能を実現する。
【図面の簡単な説明】
【００２６】
【図１】本発明の実施例に係るキャリア設定方法のフローチャートである。
【図２】実施例１において、接続モードにあるユーザ端末がモビリティ管理制御シグナリングを受信した後の処理過程を示す図である。
【図３】実施例２において、接続モードにあるユーザ端末がモビリティ管理制御シグナリングを受信した後の処理過程を示す図である。
【図４】本発明の実施例に係るｅＮＢの内部構成を示す図である。
【図５】本発明の実施例に係るユーザ端末の内部構成を示す図である。
【発明を実施するための形態】
【００２７】
以下、本分野の当業者にとって、本発明の上記および他の特徴とメリットがさらに明確になるように、図面を参照しながら、本発明の実施例を詳しく説明する。
【００２８】
本発明は、接続モードにあるユーザに対してキャリア設定を行うという課題を解決するために、キャリア設定シグナリングによってキャリア設定を行う方法を提供している。キャリア設定シグナリングによって、ｅＮＢは、増加または減少しようとするキャリアを、ユーザに通知することができる。これにより、接続モードにあるユーザ端末に対して、キャリア設定を行う。後方互換性のあるキャリアおよび後方互換性のないキャリアは、いずれも、１つのセルを独立に構成することができるため、本発明において、キャリア設定シグナリングには、設定されるキャリアのｅＮＢ下のセル識別子（ＩＤ）およびキャリア周波数を、ユーザ端末へ示す必要がある。説明すべきものとして、本発明において、言及されたキャリアは、具体的に、ＬＴＥ−Ａシステムで呼ばれるＣＣ（即ち、Ｃｏｍｐｏｎｅｎｔ  Ｃａｒｒｉｅｒ）を指す。
【００２９】
図１は、本発明の実施例に係るキャリア設定方法のフローチャートである。図１に示すように、本発明の実施例に係るキャリア設定方法は、下記のステップを含んでもよい。
【００３０】
ステップ１０１で、基地局は、設定されるキャリアに対応するセル識別子（ＩＤ）およびキャリア周波数が付けられたキャリア設定シグナリングを、ユーザ端末に送信する。
【００３１】
ステップ１０２で、ユーザ端末は、キャリア設定シグナリングに付けられた、設定されるキャリアに対応するセルＩＤおよびキャリア周波数によって、設定されるキャリアの情報を取得して、キャリア設定を行う。
【００３２】
通常の場合、家庭用基地局による物理セル識別子（ＰＣＩ：Ｐｈｙｓｉｃａｌ  Ｃｅｌｌ  ＩＤ）の混乱を考慮しないと、ＰＣＩをセルＩＤとして直接に使用することで、ｅＮＢの各セルを明らかに識別することができる。しかしながら、ＰＣＩの混乱を考慮すると、グローバルセル識別子（ＧＣＩ：Ｇｌｏｂａｌ  Ｃｅｌｌ  ＩＤ、またはＥ−ＣＧＩ：Ｅｎｈａｎｃｅｄ  Ｃｅｌｌ  Ｇｌｏｂａｌ  ＩＤ）をセルＩＤとして使用することで、ｅＮＢの各セルを識別することができる。
【００３３】
本発明の実施例において、接続モードにあるユーザ端末に対して、キャリア設定を行うために、新たなシグナリングをキャリア設定シグナリングとして設計してもよいし、既存のシグナリングを拡張して、拡張されたシグナリングをキャリア設定シグナリングとしてもよい。
【００３４】
既存の無線リソース制御（ＲＲＣ：Ｒａｄｉｏ  Ｒｅｓｏｕｒｃｅ  Ｃｏｎｔｒｏｌ）シグナリングとして、主に、測定設定制御シグナリング、モビリティ管理制御シグナリングおよび専用リソース設定制御シグナリングなどが含まれるＲＲＣ接続再設定（ＲＲＣ  ｃｏｎｎｅｃｔｉｏｎ  ｒｅｃｏｎｆｉｇｕｒａｔｉｏｎ）シグナリングが考えられる。ここで、モビリティ管理制御シグナリングは、セルＩＤおよびキャリア周波数を示すことができる。モビリティ管理制御シグナリングは、ハンドオーバー過程に応用され、ターゲットセルＩＤをユーザ端末に通知するために用いられ、周波数間ハンドオーバーの場合、さらに、ターゲットセルのキャリア周波数をユーザ端末に通知する必要がある、ということが知られている。モビリティ管理制御シグナリングにおけるターゲットセルＩＤおよびキャリア周波数を利用すれば、１つのキャリアを一意に識別できるため、本発明の実施例において、モビリティ管理制御シグナリングを拡張することで、キャリア設定の機能を実現することができる。
【００３５】
本発明の具体的な実施例を詳しく説明する前に、まず、本発明の実施例の応用シナリオを紹介する。具体的に、本発明の実施例は、以下の２つの応用シナリオに応用される。応用シナリオ（１）で、各ｅＮＢそれぞれの各キャリアは、同じセルＩＤ（例えば、ＰＣＩ）を有する。応用シナリオ（２）で、各ｅＮＢそれぞれの各キャリアは、異なるセルＩＤ（例えば、ＰＣＩ）を有する。
【００３６】
表１は、応用シナリオ（１）で、ｅＮＢ１とｅＮＢ２との各キャリアのＰＣＩの例を示す。表１に示すように、ｅＮＢ１の３つのキャリアのＰＣＩは、いずれも３００であってよく、それらのキャリア周波数が、それぞれｆ１、ｆ２およびｆ３である。ｅＮＢ２の２つのキャリアのＰＣＩは、いずれも４００であってよく、それらのキャリア周波数が、それぞれｆ１およびｆ２である。
【００３７】
【表１】
2011193440.tif 000003
【００３８】
表２は、応用シナリオ（２）で、ｅＮＢ１とｅＮＢ２との各キャリアのＰＣＩの例を示す。表２に示すように、ｅＮＢ１の３つのキャリアのＰＣＩは、それぞれ３０１、３０２おおび３０３であってよく、それらのキャリア周波数が、それぞれｆ１、ｆ２およびｆ３である。ｅＮＢ２の２つのキャリアのＰＣＩは、それぞれ４０１および４０２であってよく、それらのキャリア周波数が、それぞれｆ１およびｆ２である。
【００３９】
【表２】
2011193440.tif 000004
【００４０】
以下、具体的な例によって、本発明の異なる応用シナリオでの実施例を詳しく説明する。
【００４１】
（実施例１）
本実施例は、モビリティ管理制御シグナリングを利用して、キャリア設定の機能を実現するものであり、上記の応用シナリオ（１）に適用される。
【００４２】
具体的に、本発明の実施例において、接続モードにあるユーザ端末に対して、キャリア設定を行う必要がある場合、ユーザ端末へ送信されるモビリティ管理制御シグナリングにおけるターゲットセルＩＤフィールドを直接に利用して、設定されるキャリアのｅＮＢ下のセルＩＤ、即ち、設定されるキャリアに対応するセルＩＤを搭載する一方、該モビリティ管理制御シグナリングにおけるキャリア周波数フィールドを利用して、設定されるキャリアのキャリア周波数を搭載する。一方、接続モードにあるユーザ端末に対しハンドオーバーするよう指示する必要がある場合、ユーザ端末へ送信されるモビリティ管理制御シグナリングにおけるターゲットセルＩＤフィールドおよびキャリア周波数フィールドを利用して、ハンドオーバー先であるターゲットセルＩＤおよびキャリア周波数を搭載する。シナリオ（１）で、各ｅＮＢそれぞれの各キャリアが同じセルＩＤを有するため、モビリティ管理制御シグナリングを受信したユーザ端末は、受信されたモビリティ管理制御シグナリングにおけるターゲットセルＩＤが、現在のサービングセルＩＤと同じであるかどうかを判断することにより、受信されたモビリティ管理制御シグナリングが新キャリア設定用であるか、それともユーザ端末ハンドオーバー指示用であるか、を判断することができる。
【００４３】
図２は、本実施例において、接続モードにあるユーザ端末がモビリティ管理制御シグナリングを受信した後の処理過程を示す。図２に示すように、接続モードにあるユーザ端末は、モビリティ管理制御シグナリングを受信した後、以下の処理を行う。
【００４４】
ステップ２０１で、受信されたモビリティ管理制御シグナリングに付けられたターゲットセルＩＤが、現在のサービングセルＩＤと一致するかどうかを判断し、一致する場合、受信されたモビリティ管理制御シグナリングがキャリア設定用であると判断して、ステップ２０２を実行し、一致しない場合、受信されたモビリティ管理制御シグナリングがユーザ端末ハンドオーバー指示用であると判断して、ステップ２０３を実行する。
【００４５】
ステップ２０２で、モビリティ管理制御シグナリングに付けられたターゲットセルＩＤおよびキャリア周波数によって、設定されるキャリアの情報を取得して、キャリア設定を行う。
【００４６】
ステップ２０３で、モビリティ管理制御シグナリングに付けられたターゲットセルＩＤおよびキャリア周波数によって、ハンドオーバーを行う。
【００４７】
例えば、表１に示すような応用シナリオで、１つのユーザ端末のサービングセルがｅＮＢ１のセル１であり、該ユーザ端末に対して、ｅＮＢ１のキャリア２を設定する必要がある場合、その中に付けられるターゲットセルＩＤが３００であり、キャリア周波数がｆ２であるモビリティ管理制御シグナリングを、該ユーザ端末に送信することができる。こうすれば、該ユーザ端末は、モビリティ管理制御シグナリングを受信した後、ターゲットセルＩＤ３００がサービングセルＩＤ３００と同じであると判断したことにより、受信されたモビリティ管理制御シグナリングがキャリア設定用であると判断して、モビリティ管理制御シグナリングにおけるキャリア周波数ｆ２によって、設定されるキャリアがｅＮＢ１のキャリア２であることを知る。ユーザ端末に対し、ｅＮＢ２のセル５へハンドオーバーするよう指示する必要がある場合、その中に付けられるターゲットセルＩＤが４００であり、キャリア周波数がｆ２であるモビリティ管理制御シグナリングを、該ユーザ端末に送信することができる。この場合、該ユーザ端末は、モビリティ管理制御シグナリングを受信した後、ターゲットセルＩＤ４００がサービングセルＩＤ３００と異なると判断したことにより、受信されたモビリティ管理制御シグナリングがユーザ端末ハンドオーバー指示用であると判断して、モビリティ管理制御シグナリングにおけるキャリア周波数ｆ２によって、ハンドオーバー後のセルがｅＮＢ２のセル５であることを知る。
【００４８】
説明すべきものとして、設定されるキャリアが複数ある場合、モビリティ管理制御シグナリングにおけるキャリア周波数を複数設定することができる。例えば、上記の例において、該ユーザ端末に対して、ｅＮＢ１のキャリア２およびキャリア３を設定する必要がある場合、その中に付けられるターゲットセルＩＤが３００であり、キャリア周波数がｆ２およびｆ３であるモビリティ管理制御シグナリングを、該ユーザ端末に送信することができる。この場合、該ユーザ端末は、モビリティ管理制御シグナリングを受信した後、ターゲットセルＩＤ３００がサービングセルＩＤ３００と同じであると判断したことにより、受信されたモビリティ管理制御シグナリングがキャリア設定用であると判断して、モビリティ管理制御シグナリングにおけるキャリア周波数ｆ２およびｆ３によって、設定されるキャリアがｅＮＢ１のキャリア２およびキャリア３であることを知る。
【００４９】
上記の説明から分かるように、本実施例において、モビリティ管理制御シグナリングをキャリア設定シグナリングとして直接に使用することにより、シグナリングオーバーヘッドおよび既存のシグナリングへの影響を減少することができる。
【００５０】
上記の実施例において、キャリアの増加を例として説明しているが、説明すべきものとして、上記の方法は、キャリアの減少にも適用することができる。例えば、ユーザ端末は、受信されたモビリティ管理制御シグナリングがキャリア設定用であって、かつ、モビリティ管理制御シグナリングに付けられたキャリア周波数が自局の設定済みのキャリアのキャリア周波数であると判断した場合、該設定済みのキャリアを削除する。
【００５１】
（実施例２）
本実施例は、モビリティ管理制御シグナリングをキャリア設定シグナリングとして採用することで、キャリア設定の機能を実現するものであり、上記の応用シナリオ（２）に適用される。
【００５２】
上記のように、従来のモビリティ管理制御シグナリングがセルＩＤおよびキャリア周波数を示すことができるため、本実施例において、モビリティ管理制御シグナリングを拡張することで、キャリア設定の機能を実現することができる。上記の応用シナリオ（２）で、各ｅＮＢそれぞれの各キャリアが異なるセルＩＤを有するため、本実施例において、モビリティ管理制御シグナリングに付けられたターゲットセルＩＤのみによって、モビリティ管理制御シグナリングがキャリア設定用であるか、それともユーザ端末ハンドオーバー指示用であるかを判断することができない。従って、本発明の実施例において、モビリティ管理制御シグナリングがキャリア設定用であるか、それともユーザ端末ハンドオーバー指示用であるかを識別するためのキャリア設定識別子フィールドを、モビリティ管理制御シグナリングに追加する必要がある。好ましくは、キャリア設定識別子フィールドの長さが１ｂｉｔである。この時、キャリア設定識別子の値が１である場合は、モビリティ管理制御シグナリングがキャリア設定用であることを識別し、キャリア設定識別子の値が０である場合は、モビリティ管理制御シグナリングがユーザ端末ハンドオーバー指示用であることを識別するように設定してもよい。当業者にとって、キャリア設定識別子の値が０である場合は、モビリティ管理制御シグナリングがキャリア設定用であることを識別し、キャリア設定識別子の値が１である場合は、モビリティ管理制御シグナリングがユーザ端末ハンドオーバー指示用であることを識別するように設定してもよい、ということを理解できる。
【００５３】
具体的に、本発明の実施例において、接続モードにあるユーザ端末に対して、キャリア設定を行う必要がある場合、まず、ユーザ端末へ送信されるモビリティ管理制御シグナリングにおけるキャリア設定識別子フィールドに、キャリア設定用を表す識別子を設定し、モビリティ管理制御シグナリングにおけるターゲットセルＩＤフィールドを利用して、設定されるキャリアに対応するセルＩＤを搭載する一方、モビリティ管理制御シグナリングにおけるキャリア周波数フィールドを利用して、設定されるキャリアのキャリア周波数を搭載する。この場合、モビリティ管理制御シグナリングを受信したユーザ端末は、キャリア設定識別子によって、受信されたモビリティ管理制御シグナリングがキャリア設定用であることを知って、ターゲットセルＩＤおよびキャリア周波数によって、設定されるキャリアの情報を知ることができる。接続モードにあるユーザ端末に対しハンドオーバーするよう指示する必要がある場合、まず、ユーザ端末へ送信されるモビリティ管理制御シグナリングにおけるキャリア設定識別子フィールドに、ハンドオーバー指示用を表す識別子を設定して、モビリティ管理制御シグナリングにおけるターゲットセルＩＤフィールドおよびキャリア周波数フィールドを利用して、ターゲットキャリアの情報を搭載する。この場合、モビリティ管理制御シグナリングを受信したユーザ端末は、キャリア設定識別子によって、受信されたモビリティ管理制御シグナリングがユーザ端末ハンドオーバー指示用であることを知って、ターゲットセルＩＤおよびキャリア周波数によって、ターゲットセルの情報を知ることができる。
【００５４】
図３は、本実施例において、接続モードにあるユーザ端末がモビリティ管理制御シグナリングを受信した後の処理過程を示す。図３に示すように、接続モードにあるユーザ端末は、モビリティ管理制御シグナリングを受信した後、以下の処理を行う。
【００５５】
ステップ３０１で、受信されたモビリティ管理制御シグナリングに付けられたキャリア設定識別子が、キャリア設定用を表す識別子であるかどうかを判断し、キャリア設定用を表す識別子である場合、受信されたモビリティ管理制御シグナリングがキャリア設定用であると判断して、ステップ３０２を実行し、キャリア設定用を表す識別子ではない場合、受信されたモビリティ管理制御シグナリングがユーザ端末ハンドオーバー指示用であると判断して、ステップ３０３を実行する。
【００５６】
ステップ３０２で、モビリティ管理制御シグナリングに付けられたターゲットセルＩＤおよびキャリア周波数によって、設定されるキャリアの情報を取得して、キャリア設定を行う。
【００５７】
ステップ３０３で、モビリティ管理制御シグナリングに付けられたターゲットセルＩＤおよびキャリア周波数によって、ハンドオーバーを行う。
【００５８】
例えば、表２に示すような応用シナリオで、あるユーザ端末のサービングセルがｅＮＢ１のセル１であって、かつ、該ユーザ端末に対して、ｅＮＢ１のキャリア２を設定する必要がある場合、その中に付けられるキャリア設定識別子が１であり、ターゲットセルＩＤが３０２であり、キャリア周波数がｆ２であるモビリティ管理制御シグナリングを、該ユーザ端末に送信することができる。この場合、該ユーザ端末は、モビリティ管理制御シグナリングを受信した後、キャリア設定識別子によって、受信されたモビリティ管理制御シグナリングが新キャリア設定用であると判断して、ターゲットセルＩＤ３０２およびキャリア周波数ｆ２によって、設定されるキャリアがｅＮＢ１のキャリア２であることを知る。ユーザ端末に対し、ｅＮＢ２のセル５へハンドオーバーするよう指示する必要がある場合、その中に付けられるキャリア設定識別子が０であり、ターゲットセルＩＤが４０２であり、キャリア周波数がｆ２であるモビリティ管理制御シグナリングを、該ユーザ端末に送信することができる。この場合、該ユーザ端末は、モビリティ管理制御シグナリングを受信した後、キャリア設定識別子によって、受信されたモビリティ管理制御シグナリングがユーザ端末ハンドオーバー指示用であると判断して、モビリティ管理制御シグナリングにおけるターゲットセルＩＤ４０２およびキャリア周波数ｆ２によって、ハンドオーバー後のセルがｅＮＢ２のセル５であることを知る。
【００５９】
上記の実施例においても、キャリアの増加を例として説明しているが、説明すべきものとして、上記の方法は、キャリアの減少にも適用することができる。例えば、ユーザ端末は、受信されたモビリティ管理制御シグナリングがキャリア設定用であって、かつ、モビリティ管理制御シグナリングに付けられたセルＩＤおよびキャリア周波数で識別されたキャリアが自局の設定済みのキャリアであると判断した場合、該設定済みのキャリアを削除する。
【００６０】
説明すべきものとして、設定されるキャリアが複数ある場合、モビリティ管理制御シグナリングにおけるターゲットセルＩＤおよびキャリア周波数を複数設定することができる。例えば、上記の例において、該ユーザ端末に対して、ｅＮＢ１のキャリア２およびキャリア３を設定する必要がある場合、その中に付けられるキャリア設定識別子が１であり、ターゲットセルＩＤが３０２および３０３であり、キャリア周波数がｆ２およびｆ３であるモビリティ管理制御シグナリングを、該ユーザ端末に送信することができる。この場合、該ユーザ端末は、モビリティ管理制御シグナリングを受信した後、キャリア設定識別子によって、受信されたモビリティ管理制御シグナリングがキャリア設定用であると判断して、モビリティ管理制御シグナリングにおけるターゲットセルＩＤ３０２および３０３、並びに、キャリア周波数ｆ２およびｆ３によって、設定されるキャリアがｅＮＢ１のキャリア２およびキャリア３であることを知る。
【００６１】
上記の説明から分かるように、本実施例において、拡張されたモビリティ管理制御シグナリングをキャリア設定シグナリングとして使用することによっても、シグナリングオーバーヘッドおよび既存のシグナリングへの影響を減少することができる。
【００６２】
（実施例３）
本実施例において、キャリア設定用の新たな専用シグナリングをキャリア設定シグナリングとして定義することにより、キャリア設定の機能を実現する。本実施例におけるキャリア設定シグナリングは、少なくともセルＩＤおよびキャリア周波数という２つのフィールドを含み、設定されるキャリアのｅＮＢ下のセルＩＤおよびキャリア周波数を示す。
【００６３】
好ましくは、本発明の実施例において、上記のキャリア設定シグナリングは、ＲＲＣ接続再設定シグナリングに含まれ、ＲＲＣ接続再設定シグナリングにおけるほかのシグナリングと互いに独立である。キャリア設定を行う必要がある場合、ユーザ端末に送信されたＲＲＣ接続再設定シグナリングにおいて、設定されるキャリアのｅＮＢ下のセルＩＤおよびキャリア周波数を含む上記のキャリア設定シグナリングが含まれる。このように、ユーザ端末は、キャリア設定シグナリングを受信した後、受信されたキャリア設定シグナリングにおけるセルＩＤおよびキャリア周波数によって、例えば、キャリアの増加または減少のようなキャリア設定を行う。特に、複数のキャリアを設定する必要がある場合、キャリア設定シグナリングは、複数のセルＩＤおよび／または複数のキャリア周波数を含むことができる。
【００６４】
本実施例に係る方法において、設計された新たなキャリア設定シグナリングは、ＲＲＣ接続再設定シグナリングにおける１つのシグナリングである。ユーザ端末は、ＲＲＣ接続再設定シグナリングを受信した後、該シグナリングにおいて、キャリア設定シグナリングが含まれるかどうかを判断することで、キャリア設定を行う必要があるかどうかを判断する。このように、従来のシステムとの互換性をよりよく実現できる。
【００６５】
上記の実施例１〜３に係るキャリア設定方法では、いずれも、ハンドオーバーとキャリア設定とを独立に実行する。また、本発明の実施例は、ハンドオーバーするとともに、複数のキャリアを設定するキャリア設定方法を提供している。
【００６６】
（実施例４）
本実施例は、モビリティ管理制御シグナリングをキャリア設定シグナリングとして採用し、上記の応用シナリオ（１）、および、ハンドオーバーするとともに、複数のキャリアを設定する必要がある応用シナリオに適用される。
【００６７】
上記の応用シナリオ（１）から分かるように、ハンドオーバーするとともに、複数のキャリアを設定する必要がある場合、ターゲットセルＩＤはただ１つある一方、キャリア周波数は複数ある。この場合、ユーザ端末へ送信されるモビリティ管理制御シグナリングにおけるターゲットセルＩＤに、ハンドオーバー先であるターゲットセルＩＤを設定する一方、モビリティ管理制御シグナリングにおけるキャリア周波数に、複数の設定対象キャリアのキャリア周波数を設定するようにしてもよい。ここで、ハンドオーバー先であるターゲットセルのキャリア周波数を、前にあるキャリア周波数で表す一方、ユーザ端末に対して設定されるキャリアのキャリア周波数を、後ろにあるキャリア周波数で表すようにしてもよい。このように、ユーザ端末は、モビリティ管理制御シグナリングを受信した後、モビリティ管理制御シグナリングにおけるターゲットセルＩＤによって、ハンドオーバー先であるターゲット基地局を知り、モビリティ管理制御シグナリングに付けられた複数のキャリア周波数によって、自局に対して設定される複数のキャリアの情報を知って、キャリア設定を行うことができる。
【００６８】
例えば、表１に示すような応用シナリオで、あるユーザ端末のサービングセルがｅＮＢ１のセル１であって、かつ、ユーザ端末に対しｅＮＢ２のセル４へハンドオーバーするよう指示する必要があるとともに、ユーザ端末に対してｅＮＢ２のキャリア２を設定する必要がある場合、その中に付けられるターゲットセルＩＤが４００であり、キャリア周波数がｆ１およびｆ２であるモビリティ管理制御シグナリングを、該ユーザ端末に送信することができる。この場合、該ユーザ端末は、モビリティ管理制御シグナリングを受信した後、ターゲットセルＩＤ４００がサービングセルＩＤと異なると判断したことにより、受信されたモビリティ管理制御シグナリングがユーザ端末ハンドオーバー指示用であると判断し、モビリティ管理制御シグナリングにおけるキャリア周波数ｆ１およびｆ２によって、ハンドオーバー後のセルがｅＮＢ２のセル４であること、および、設定すべきキャリアがｅＮＢ２のキャリア２であることを知る。
【００６９】
（実施例５）
本実施例は、モビリティ管理制御シグナリングをキャリア設定シグナリングとして採用し、上記の応用シナリオ（１）、および、ハンドオーバーするとともに、複数のキャリアを設定する必要がある応用シナリオに適用される。
【００７０】
ハンドオーバーするとともに、複数のキャリアを設定するために、モビリティ管理制御シグナリングにおいて、ターゲットセルを除くほかのキャリアに対応するセルＩＤおよびキャリア周波数を示すためのキャリア設定パラメータフィールドを追加してもよい。この場合、ユーザ端末は、モビリティ管理制御シグナリングを受信した後、モビリティ管理制御シグナリングにおけるターゲットセルＩＤおよびキャリア周波数によって、ハンドオーバー先であるターゲットセルを知って、キャリア設定パラメータフィールドに付けられたセルＩＤおよびキャリア周波数によって、自局に対して設定される複数のキャリアの情報を知ることができる。
【００７１】
例えば、表１に示すような応用シナリオで、あるユーザ端末のサービングセルがｅＮＢ１のセル１であって、かつ、ユーザ端末に対しｅＮＢ２のセル４へハンドオーバーするよう指示する必要があるとともに、ユーザ端末に対してｅＮＢ２のキャリア２を設定する必要がある場合、その中に付けられるターゲットセルＩＤが４００であり、キャリア周波数がｆ１であるが、キャリア設定パラメータフィールドにおいて、セルＩＤが４００であり、キャリア周波数がｆ２であるモビリティ管理制御シグナリングを、該ユーザ端末に送信することができる。この場合、該ユーザ端末は、モビリティ管理制御シグナリングを受信した後、ターゲットセルＩＤ４００がサービングセルＩＤと異なると判断したことにより、受信されたモビリティ管理制御シグナリングがユーザ端末ハンドオーバー指示用であると判断し、モビリティ管理制御シグナリングにおけるキャリア周波数ｆ１、並びに、キャリア設定パラメータフィールドにおけるセルＩＤ４００およびキャリア周波数ｆ２によって、ハンドオーバー後のセルがｅＮＢ２のセル４であること、および、設定すべきキャリアがｅＮＢ２のキャリア２であることを知る。
【００７２】
（実施例６）
本実施例は、モビリティ管理制御シグナリングをキャリア設定シグナリングとして採用し、上記の応用シナリオ（２）、および、ハンドオーバーするとともに、複数のキャリアを設定する必要がある応用シナリオに適用される。
【００７３】
上記の応用シナリオ（２）から分かるように、ハンドオーバーするとともに、複数のキャリアを設定する必要がある場合、ターゲットセルＩＤおよびキャリア周波数は、いずれも複数ある。この場合、ユーザ端末へ送信されるモビリティ管理制御シグナリングにおけるターゲットセルＩＤに、ハンドオーバー先であるターゲット基地局の複数のキャリアに対応するセルＩＤを設定する一方、モビリティ管理制御シグナリングにおけるキャリア周波数に、複数の設定対象キャリアのキャリア周波数を設定するようにしてもよい。ここで、ハンドオーバー先であるターゲットセルのセルＩＤを、前にあるセルＩＤで表すが、ユーザ端末に対して設定されるキャリアに対応するセルＩＤを、後ろにあるセルＩＤで表す一方、ハンドオーバー先であるターゲットセルのキャリア周波数を、前にあるキャリア周波数で表すが、ユーザ端末に対して設定されるキャリアのキャリア周波数を、後ろにあるキャリア周波数で表すようにしてもよい。このように、ユーザ端末は、モビリティ管理制御シグナリングを受信した後、キャリア設定識別子が０であることにより、モビリティ管理制御シグナリングがハンドオーバー指示用であることを知り、モビリティ管理制御シグナリングにおけるターゲットセルＩＤによって、ハンドオーバー先であるターゲット基地局を知り、モビリティ管理制御シグナリングに付けられた複数のキャリア周波数によって、自局に対して設定される複数のキャリアの情報を知ることができる。
【００７４】
例えば、表２に示すような応用シナリオで、あるユーザ端末のサービングセルがｅＮＢ１のセル１であって、かつ、ユーザ端末に対しｅＮＢ２のセル４へハンドオーバーするよう指示する必要があるとともに、ユーザ端末に対してｅＮＢ２のキャリア２を設定する必要がある場合、その中に付けられるキャリア設定識別子が０であり、ターゲットセルＩＤが４０１および４０２であり、キャリア周波数がｆ１およびｆ２であるモビリティ管理制御シグナリングを、該ユーザ端末に送信することができる。この場合、該ユーザ端末は、モビリティ管理制御シグナリングを受信した後、キャリア設定識別子によって、受信されたモビリティ管理制御シグナリングがユーザ端末ハンドオーバー指示用であると判断し、モビリティ管理制御シグナリングにおけるターゲットセルＩＤ４０１および４０２、並びに、キャリア周波数ｆ１およびｆ２によって、ハンドオーバー後のセルがｅＮＢ２のセル４であること、および、設定すべきキャリアがｅＮＢ２のキャリア２であることを知る。
【００７５】
（実施例７）
本実施例は、モビリティ管理制御シグナリングをキャリア設定シグナリングとして採用し、上記の応用シナリオ（２）、および、ハンドオーバーするとともに、複数のキャリアを設定する必要がある応用シナリオに適用される。
【００７６】
上記の実施例５で説明したように、ハンドオーバーするとともに、複数のキャリアを設定するために、モビリティ管理制御シグナリングにおいて、ターゲットセルを除くほかのキャリアに対応するセルＩＤおよびキャリア周波数を示すためのキャリア設定パラメータフィールドを追加してもよい。
【００７７】
例えば、表２に示すような応用シナリオで、あるユーザ端末のサービングセルがｅＮＢ１のセル１であって、かつ、ユーザ端末に対しｅＮＢ２のセル４へハンドオーバーするよう指示する必要があるとともに、ユーザ端末に対してｅＮＢ２のキャリア２を設定する必要がある場合、その中に付けられるキャリア設定識別子が０であり、ターゲットセルＩＤが４０１であり、キャリア周波数がｆ１であるが、キャリア設定パラメータフィールドにおいて、セルＩＤが４０２であり、キャリア周波数がｆ２であるモビリティ管理制御シグナリングを、該ユーザ端末に送信することができる。この場合、該ユーザ端末は、モビリティ管理制御シグナリングを受信した後、キャリア設定識別子によって、受信されたモビリティ管理制御シグナリングがユーザ端末ハンドオーバー指示用であると判断し、モビリティ管理制御シグナリングにおけるターゲットセルＩＤ４０１およびキャリア周波数ｆ１、並びに、キャリア設定パラメータフィールドにおけるセルＩＤ４０２およびキャリア周波数ｆ２によって、ハンドオーバー後のセルがｅＮＢ２のセル４であること、および、設定すべきキャリアがｅＮＢ２のキャリア２であることを知る。
【００７８】
新たなキャリア設定シグナリングを設計する方式を採用すれば、キャリア設定シグナリングとモビリティ管理制御シグナリングとが独立であるため、キャリア設定のみを行う一方、ユーザ端末ハンドオーバー指示を行わない場合、ユーザ端末へ送信されるＲＲＣ接続再設定シグナリングには、キャリア設定シグナリングが含まれるが、モビリティ管理制御シグナリングが含まれない。ユーザ端末ハンドオーバー指示のみを行う一方、キャリア設定を行わない場合、ユーザ端末へ送信されるＲＲＣ接続再設定シグナリングには、キャリア設定シグナリングが含まれないが、モビリティ管理制御シグナリングが含まれる。ハンドオーバーするとともに、キャリア設定を行う場合、ユーザ端末へ送信されるＲＲＣ接続再設定シグナリングには、キャリア設定シグナリングを含ませるとともに、モビリティ管理制御シグナリングを含ませることで、ユーザ端末に対し、ハンドオーバーするとともに、複数のキャリアの設定を行うよう指示する。
【００７９】
説明すべきものとして、当業者にとって、上記の実施例５と７に係る、キャリア設定パラメータフィールドをモビリティ管理制御シグナリングに追加する方法は、ハンドオーバーせずに、ユーザ端末に対して複数のキャリアを設定するにとどめるシナリオにも適用される。
【００８０】
また、説明すべきものとして、本発明の実施例において、上記のセルＩＤは、セルのＰＣＩであってよく、ＧＣＩまたはＥ−ＣＧＩであってもい。
【００８１】
上記の実施例から分かるように、本発明の実施例では、多種多様な応用シナリオに適用される複数のキャリア設定方法が提供され、キャリアアグリゲーション技術を採用するＬＴＥ−Ａシステムにおける接続状態にあるユーザ端末に対して、キャリア設定を行うことができる。
【００８２】
そのほか、本発明の実施例は、上記のキャリア設定方法を実現するｅＮＢおよびユーザ端末も提供している。ここで、図４に示すように、ｅＮＢの内部構成は、設定されるキャリアに対応するセルＩＤおよびキャリア周波数が付けられたキャリア設定シグナリングを生成するキャリア設定シグナリング生成手段と、生成されたキャリア設定シグナリングをユーザ端末に送信するキャリア設定シグナリング送信手段と、を含む。
【００８３】
図５に示すように、ユーザ端末の内部構成は、ｅＮＢから送信されたキャリア設定シグナリングを受信するキャリア設定シグナリング受信手段と、キャリア設定シグナリングに付けられた、設定されるキャリアに対応するセルＩＤおよびキャリア周波数によって、設定されるキャリアの情報を取得して、キャリア設定を行うキャリア設定手段と、を含む。
【００８４】
上記の応用シナリオ（１）で、既存のモビリティ管理制御シグナリングをキャリア設定シグナリングとして採用する場合、ｅＮＢのキャリア設定シグナリング生成手段は、キャリア設定を行う場合、モビリティ管理制御シグナリングにおけるターゲットセルＩＤフィールドおよびキャリア周波数フィールドを利用して、設定されるキャリアに対応するセルＩＤおよびキャリア周波数を搭載し、あるいは、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載するキャリア設定シグナリング生成モジュールを含んでもよい。
【００８５】
このとき、ユーザ端末のキャリア設定手段の内部は、受信されたモビリティ管理制御シグナリングに付けられたターゲットセルＩＤが、現在のサービングセルＩＤと一致するかどうかを判断し、一致する場合、受信されたモビリティ管理制御シグナリングがキャリア設定用であると判断し、一致しない場合、受信されたモビリティ管理制御シグナリングがユーザ端末ハンドオーバー指示用であると判断する判断モジュールと、受信されたモビリティ管理制御シグナリングがキャリア設定用である場合、モビリティ管理制御シグナリングに付けられたターゲットセルＩＤおよびキャリア周波数によって、設定されるキャリアの情報を取得して、キャリア設定を行うキャリア設定モジュールと、受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行うハンドオーバーモジュールと、を含んでもよい。
【００８６】
上記の応用シナリオ（２）で、既存のモビリティ管理制御シグナリングをキャリア設定シグナリングとして採用する場合、ｅＮＢのキャリア設定シグナリング生成手段は、モビリティ管理制御シグナリングがキャリア設定用であるか、それともユーザ端末ハンドオーバー指示用であるかを識別するためのキャリア設定識別子を、モビリティ管理制御シグナリングに付加するキャリア設定識別子付加モジュールと、キャリア設定を行う場合、モビリティ管理制御シグナリングにおけるターゲットセルＩＤフィールドおよびキャリア周波数フィールドを利用して、設定されるキャリアに対応するセルＩＤおよびキャリア周波数を搭載し、あるいは、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載するキャリア設定シグナリング生成モジュールと、を含む。
【００８７】
このとき、ユーザ端末のキャリア設定手段の内部は、キャリア設定識別子によって、受信されたモビリティ管理制御シグナリングがキャリア設定用であるか、それともユーザ端末ハンドオーバー指示用であるかを判断する判断モジュールと、受信されたモビリティ管理制御シグナリングがキャリア設定用である場合、モビリティ管理制御シグナリングに付けられたターゲットセルＩＤおよびキャリア周波数によって、設定されるキャリアの情報を取得して、キャリア設定を行うキャリア設定モジュールと、受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行うハンドオーバーモジュールと、を含んでもよい。
【００８８】
複数のキャリアを設定する場合、上記のｅＮＢのキャリア設定シグナリング生成手段は、ターゲットセルを除くほかのキャリアに対応するセルＩＤおよびキャリア周波数を示すためのキャリア設定パラメータを、モビリティ管理制御シグナリングに付加するキャリア設定パラメータ付加モジュールと、キャリア設定を行う場合、モビリティ管理制御シグナリングにおけるターゲットセルＩＤフィールドおよびキャリア周波数フィールドを利用して、設定されるキャリアに対応するセルＩＤおよびキャリア周波数を搭載し、キャリア設定パラメータを利用して、設定されるほかのキャリアに対応するセルＩＤおよびキャリア周波数を搭載し、あるいは、ユーザ端末に対しハンドオーバーするよう指示する場合、モビリティ管理制御シグナリングにおけるターゲットセルＩＤフィールドおよびキャリア周波数フィールドを利用して、ハンドオーバー先であるターゲットセルＩＤおよびキャリア周波数を搭載し、キャリア設定パラメータを利用して、設定されるほかのキャリアに対応するセルＩＤおよびキャリア周波数を搭載するキャリア設定シグナリング生成モジュールと、を含む。
【００８９】
このとき、ユーザ端末のキャリア設定手段の内部は、モビリティ管理制御シグナリングがキャリア設定用であるか、それともユーザ端末ハンドオーバー指示用であるかを判断する判断モジュールと、受信されたモビリティ管理制御シグナリングがキャリア設定用である場合、モビリティ管理制御シグナリングに付けられたターゲットセルＩＤおよびキャリア周波数、並びにキャリア設定パラメータによって、設定されるキャリアの情報を取得して、キャリア設定を行うキャリア設定モジュールと、受信されたモビリティ管理制御シグナリングがユーザ端末ハンドオーバー指示用である場合、モビリティ管理制御シグナリングに付けられたターゲットセルＩＤおよびキャリア周波数によって、ハンドオーバーを行い、モビリティ管理制御シグナリングに付けられたキャリア設定パラメータによって、設定されるキャリアの情報を取得して、キャリア設定を行うハンドオーバーモジュールと、を含んでもよい。
【００９０】
説明すべきものとして、各ｅＮＢそれぞれの各キャリアが同じセルＩＤを有する場合、判断モジュールは、モビリティ管理制御シグナリングに付けられたターゲットセルＩＤが、現在のサービングセルＩＤと一致するかどうかにより、モビリティ管理制御シグナリングがキャリア設定用であるか、それともユーザ端末ハンドオーバー指示用であるかを判断することができる。モビリティ管理制御シグナリングにおいて、キャリア設定識別子が設定された場合、判断モジュールは、モビリティ管理制御シグナリングにおけるキャリア設定識別子によって、モビリティ管理制御シグナリングがキャリア設定用であるか、それともユーザ端末ハンドオーバー指示用であるかを判断することができる。
【００９１】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2011193440.tif 000005
【図２】
2011193440.tif 000006
【図３】
2011193440.tif 000007
【図４】
2011193440.tif 000008
【図５】
2011193440.tif 000009